(57)【特許請求の範囲】
【請求項１】
第１制御信号に応答して電源電圧を変換して第１出力端子で第１駆動電圧を出力し、短絡探知期間の後で、前記電源電圧を変換して第２出力端子で第２駆動電圧を出力し、第３制御信号に応答してシャットダウン（ｓｈｕｔ ｄｏｗｎ）される電圧変換部と、
前記短絡探知期間の間、前記第２出力端子の電圧の大きさと基準電圧の大きさとを比較して前記第３制御信号を生成する短絡感知部と、を含み、
前記電圧変換部が、前記第１制御信号がイネーブルされる時点に第１駆動信号をイネーブルさせ、前記短絡探知期間の間、イネーブルされた第２制御信号を前記短絡感知部に提供し、前記短絡探知期間の後で、第２駆動信号をイネーブルさせ、ディセーブルされた前記第２制御信号を前記短絡感知部に提供し、前記第３制御信号がイネーブルされる時点に前記第１駆動信号及び前記第２駆動信号をディセーブルさせる制御部を含む
ことを特徴とする電源変換器。
【請求項２】
前記電圧変換部は、
前記第２駆動信号がイネーブルされる間、前記電源電圧を変換して前記第２駆動電圧を生成する第２電圧変換器と、を含む
ことを特徴とする請求項１に記載の電源変換器。
【請求項３】
前記制御部は、前記短絡探知期間の長さを調節するタイミング生成器を含む
ことを特徴とする請求項２に記載の電源変換器。
【請求項４】
前記電圧変換部は、前記第１駆動電圧の大きさが目標電圧の大きさ以上の場合、イネーブルされた第４制御信号を前記タイミング生成器に提供する比較器をさらに含み、
前記タイミング生成器は前記第１制御信号がイネーブルされる時点から前記第４制御信号がイネーブルされる時点までの時間の長さに基づいて、前記短絡探知期間の長さを調節する
ことを特徴とする請求項３に記載の電源変換器。
【請求項５】
前記短絡感知部は、前記短絡探知期間のうちの一時点で前記第２出力端子の電圧の大きさをセンシングして、前記基準電圧の大きさと比較して前記第３制御信号を生成する
ことを特徴とする請求項１に記載の電源変換器。
【請求項６】
前記短絡感知部は、
前記第２出力端子の電圧の大きさが前記基準電圧の大きさ以上の場合、前記第３制御信号をイネーブルさせ、前記第２出力端子の電圧の大きさが前記基準電圧の大きさ未満の場合、前記第３制御信号をディセーブルさせる比較器と、
前記電源電圧と前記比較器との間に接続され、前記短絡探知期間の間、イネーブルされ、前記短絡探知期間の後ではディセーブルされる第２制御信号に基づいて開閉されて前記電源電圧を前記比較器に選択的に提供する第１スイッチと、を含む
ことを特徴とする請求項１に記載の電源変換器。
【請求項７】
前記第１スイッチは前記第２制御信号がイネーブルされる場合、短絡されて前記比較器に前記電源電圧を供給し、前記第２制御信号がディセーブルされる場合、開放されて前記比較器から前記電源電圧の供給を遮断する
ことを特徴とする請求項６に記載の電源変換器。
【請求項８】
前記短絡感知部は前記第２出力端子と接地電圧との間に接続され、前記第２制御信号に基づいてターンオン（ｔｕｒｎ−ｏｎ）されるプル−ダウン部をさらに含む
ことを特徴とする請求項６に記載の電源変換器。
【請求項９】
前記プル−ダウン部は、
前記第２出力端子に一端が接続されるプル−ダウン抵抗と、
前記プル−ダウン抵抗の他端と前記接地電圧との間に接続され、前記第２制御信号がイネーブルされる場合、短絡されて前記第２制御信号がディセーブルされる場合、開放される第２スイッチと、を含む
ことを特徴とする請求項８に記載の電源変換器。
【請求項１０】
前記第２スイッチは前記抵抗の他端に接続されるドレイン、前記接地電圧に接続されるソース及び前記第２制御信号が印加されるゲートを具備するＮＭＯＳトランジスタを含む
ことを特徴とする請求項９に記載の電源変換器。
【請求項１１】
前記短絡感知部は、
前記第２制御信号を反転させ反転信号を生成するインバータと、
前記比較器の出力端子と接地電圧との間に接続され、前記反転信号に基づいて開閉される第３スイッチと、をさらに含む
ことを特徴とする請求項６に記載の電源変換器。
【請求項１２】
前記第２スイッチは、前記反転信号がディセーブルされる場合、開放されて前記比較器の出力端子を前記接地電圧から分離させ、前記反転信号がイネーブルされる場合、短絡されて前記第３制御信号をディセーブルさせる
ことを特徴とする請求項１１に記載の電源変換器。
【請求項１３】
前記短絡感知部は、前記基準電圧を生成する基準電圧生成器をさらに含む
ことを特徴とする請求項６に記載の電源変換器。
【請求項１４】
前記第１駆動電圧は正の電位を有し、前記第２駆動電圧は負の電位を有する
ことを特徴とする請求項１に記載の電源変換器。
【請求項１５】
前記第１駆動電圧は負の電位を有し、前記第２駆動電圧は正の電位を有する
ことを特徴とする請求項１に記載の電源変換器。
【請求項１６】
第１駆動電圧、第２駆動電圧及びデータ信号を受信して動作する複数の画素を具備する表示パネルと、
第１制御信号に応答して前記表示パネルに前記第１駆動電圧及び前記第２駆動電圧を短絡探知期間の間隔を置いて順次に提供し、前記短絡探知期間の間、前記第２駆動電圧が出力される端子の電圧の大きさが基準電圧の大きさ以上の場合、シャットダウン（ｓｈｕｔ ｄｏｗｎ）される請求項１に記載の電源変換器と、
前記表示パネルに前記データ信号を提供し、前記電源変換器に前記第１制御信号を提供する駆動部と、を含む
ことを特徴とする表示装置。
【請求項１７】
前記第１駆動電圧は正の電位を有し、前記第２駆動電圧は負の電位を有する
ことを特徴とする請求項１６に記載表示装置。
【請求項１８】
前記第１駆動電圧は負の電位を有し、前記第２駆動電圧は正の電位を有する
ことを特徴とする請求項１６に記載の表示装置。
【請求項１９】
前記短絡探知期間はｎ（ｎは正の整数）個のフレーム周期に相応する
ことを特徴とする請求項１６に記載の表示装置。
【請求項２０】
前記電源変換器は前記短絡探知期間の間、前記第２駆動電圧が出力される端子をプル−ダウン抵抗を通じて接地電圧に接続させる
ことを特徴とする請求項１６に記載の表示装置。
【請求項２１】
前記駆動部は前記短絡探知期間の間、黒色に相応する前記データ信号を前記表示パネルに提供する
ことを特徴とする請求項１６に記載の表示装置。
【請求項２２】
前記駆動部は、前記短絡探知期間の後、少なくとも１フレーム周期に相応する時間の間、黒色に相応する前記データ信号を前記表示パネルに提供する
ことを特徴とする請求項２１に記載の表示装置。
【請求項２３】
前記電源変換器は、
前記第１制御信号に応答して電源電圧を変換して第１出力端子で前記第１駆動電圧を出力し、前記短絡探知期間の後で、前記電源電圧を変換して第２出力端子で前記第２駆動電圧を出力し、第３制御信号に応答してシャットダウン（ｓｈｕｔ ｄｏｗｎ）される電圧変換部と、
前記短絡探知期間の間、前記第２出力端子の電圧の大きさと前記基準電圧の大きさとを比較して前記第３制御信号を生成する短絡感知部と、を含む
ことを特徴とする請求項１６に記載の表示装置。
【請求項２４】
前記複数の画素のそれぞれは有機発光ダイオードを含む
ことを特徴とする請求項１６に記載の表示装置。
【請求項２５】
請求項１に記載の電源変換器が表示パネルに第１駆動電圧を提供する段階と、
短絡探知期間の間、前記電源変換器が第２駆動電圧が出力される端子の電圧の大きさと基準電圧の大きさとを比較する段階と、
前記短絡探知期間の間、前記第２駆動電圧が出力される端子の電圧の大きさが前記基準電圧の大きさ未満の場合、前記短絡探知期間の後で、前記電源変換器が前記表示パネルに前記第２駆動電圧を提供する段階と、
前記第２駆動電圧が出力される端子の電圧の大きさが前記基準電圧の大きさ以上の場合、前記電源変換器がシャットダウン（ｓｈｕｔ ｄｏｗｎ）される段階と、を含む
ことを特徴とする表示装置の駆動方法。
【請求項２６】
前記第１駆動電圧は正の電位を有し、前記第２駆動電圧は負の電位を有する
ことを特徴とする請求項２５に記載の表示装置の駆動方法。
【請求項２７】
前記第１駆動電圧は負の電位を有し、前記第２駆動電圧は正の電位を有する
ことを特徴とする請求項２５に記載の表示装置の駆動方法。
【請求項２８】
前記比較する段階の前に、前記短絡探知期間の間、前記第２駆動電圧が出力される端子をプル−ダウン抵抗を通じて接地電圧に接続させる段階をさらに含む
ことを特徴とする請求項２５に記載の表示装置の駆動方法。
【請求項２９】
前記第１駆動電圧を提供する段階の前に、駆動部が前記表示パネルに黒色に相応するデータ信号を提供する段階をさらに含む
ことを特徴とする請求項２５に記載の表示装置の駆動方法。
【請求項３０】
前記データ信号を提供する段階は、前記短絡探知期間の間及び前記短絡探知期間以後、少なくとも１フレーム周期に相応する時間の間、黒色に相応する前記データ信号を前記表示パネルに提供する段階である
ことを特徴とする請求項２９に記載の表示装置の駆動方法。
【請求項３１】
前記表示パネルは有機発光ダイオードを含む
ことを特徴とする請求項２５に記載の表示装置の駆動方法。
【請求項３２】
映像データを保存する保存装置と、
前記映像データをディスプレイする表示装置と、
前記保存装置及び前記表示装置の動作を制御するプロセッサを含み、
前記表示装置は、
第１駆動電圧、第２駆動電圧及びデータ信号を受信して動作する複数の画素を具備する表示パネルと、
第１制御信号に応答して前記表示パネルに前記第１駆動電圧及び前記第２駆動電圧を短絡探知期間の間隔を置いて順次に提供し、前記短絡探知期間の間、前記第２駆動電圧が出力される端子の電圧の大きさが基準電圧の大きさ以上の場合、シャットダウン（ｓｈｕｔ ｄｏｗｎ）される請求項１に記載の電源変換器と、
前記表示パネルに前記データ信号を提供し、前記電源変換器に前記第１制御信号を提供する駆動部と、を含む
ことを特徴とするシステム。
【発明の詳細な説明】
【技術分野】
【０００１】
本発明は、表示装置に関し、より詳細には微細な短絡（ｓｈｏｒｔ）を感知できる電源変換器、このような電源変換器を含む表示装置、システム及び表示装置の駆動方法に関する。
【背景技術】
【０００２】
一般的に表示装置はマトリックス形態に配置された複数の画素を具備する表示パネルを含み、複数の画素のそれぞれは駆動電圧を供給され動作する。例えば、有機発光表示装置の表示パネルに含まれる複数の画素のそれぞれは有機発光ダイオード（ｏｒｇａｎｉｃ ｌｉｇｈｔ ｅｍｉｔｔｉｎｇ ｄｉｏｄｅ；ＯＬＥＤ）を含むが、このような有機発光ダイオードは正の駆動電圧ＥＬＶＤＤが印加される陽極（ａｎｏｄｅ）から提供される正孔と、負の駆動電圧ＥＬＶＳＳが印加される陰極（ｃａｔｈｏｄｅ）から提供される電子が、陽極と陰極との間に位置する有機層（ｏｒｇａｎｉｃ ｌａｙｅｒ）から結合して生成される光を利用して映像、文字などの情報を示す。
【０００３】
このために表示パネル上で正の駆動電圧ＥＬＶＤＤが伝達される配線と負の駆動電圧ＥＬＶＳＳが伝達される配線とは相互オーバーラップ（ｏｖｅｒｌａｐ）され形成される。しかしながら、表示パネル上のクラック（ｃｒａｃｋ）、または、異質物などによって正の駆動電圧ＥＬＶＤＤが伝達される配線と負の駆動電圧ＥＬＶＳＳが伝達される配線とが短絡（ｓｈｏｒｔ）される場合、短絡地点で過電流が発生して発熱、または、火災の危険がある。
【先行技術文献】
【特許文献】
【０００４】
【特許文献１】韓国特許出願公開第２００２−００３４６０７号公報
【特許文献２】韓国特許出願公開第２００１−００１９９４４号公報
【特許文献３】特開２００７−０８９２３９号公報
【特許文献４】韓国特許出願公開第２００４−００５８７８０号公報
【発明の概要】
【発明が解決しようとする課題】
【０００５】
前記のような問題点を解決するための本発明の一つの目的は、出力端子の間に微細に短絡（ｓｈｏｒｔ）が発生した場合にも、これを効果的に感知して動作を止めることができる電源変換器を提供することにある。
【０００６】
本発明の他の目的は前記電源変換器を含む表示装置を提供することにある。
【０００７】
本発明のまた他の目的は前記表示装置を含むシステムを提供することにある。
【０００８】
本発明のまた他の目的は前記表示装置の駆動方法を提供することにある。
【課題を解決するための手段】
【０００９】
上述した本発明の目的を達成するために、本発明の一実施形態に係る電源変換器は電圧変換部及び短絡感知部を含む。前記電圧変換部は第１制御信号に応答して電源電圧を変換して第１出力端子で第１駆動電圧を出力し、短絡探知区間の後で、前記電源電圧を変換して第２出力端子で第２駆動電圧を出力し、第３制御信号に応答してシャットダウン（ｓｈｕｔ ｄｏｗｎ）させる。前記短絡感知部は前記短絡探知区間の間、前記第２出力端子の電圧の大きさと基準電圧の大きさとを比較して前記第３制御信号を生成する。
【００１０】
一実施形態において、前記電圧変換部は前記第１制御信号がイネーブルされる時点に第１駆動信号をイネーブルさせ、前記短絡探知区間の間、イネーブルされた第２制御信号を前記短絡感知部に提供し、前記短絡探知区間の後で、第２駆動信号をイネーブルさせ、ディセーブルされた前記第２制御信号を前記短絡感知部に提供し、前記第３制御信号がイネーブルされる時点に前記第１駆動信号及び前記第２駆動信号をディセーブルさせる制御部、前記第１駆動信号がイネーブルされる間、前記電源電圧を変換して前記第１駆動電圧を生成する第１電圧変換器及び前記第２駆動信号がイネーブルされる間、前記電源電圧を変換して前記第２駆動電圧を生成する第２電圧変換器を含むことができる。
【００１１】
前記制御部は前記短絡探知区間の長さを調節するタイミング生成器を含むことができる。
【００１２】
前記電圧変換部は前記第1駆動電圧の大きさが目標電圧の大きさ以上の場合、イネーブルされた第４制御信号を前記タイミング生成器に提供する比較器をさらに含み、前記タイミング生成器は前記第１制御信号がイネーブルされる時点から前記第４制御信号がイネーブルされる時点までの時間の長さに基づいて、前記短絡探知区間の長さを調節することができる。
【００１３】
一実施形態において、前記短絡感知部は前記短絡探知区間のうちの一時点で前記第２出力端子の電圧の大きさをセンシングして、前記基準電圧の大きさと比較して前記第３制御信号を生成することができる。
【００１４】
一実施形態において、前記短絡感知部は前記第２出力端子の電圧の大きさが前記基準電圧の大きさ以上の場合、前記第３制御信号をイネーブルさせ、前記第２出力端子の電圧の大きさが前記基準電圧の大きさ未満の場合、前記第３制御信号をディセーブルさせる比較器及び前記電源電圧と前記比較器との間に接続され、前記短絡探知区間の間イネーブルされ、前記短絡探知区間の後ではディセーブルされる第２制御信号に基づいて開閉されて前記電源電圧を前記比較器に選択的に提供する第１スイッチを含むことができる。
【００１５】
前記第１スイッチは前記第２制御信号がイネーブルされる場合、短絡されて前記比較器に前記電源電圧を供給し、前記第２制御信号がディセーブルされる場合、開放されて前記比較器から前記電源電圧の供給を遮断することができる。
【００１６】
前記短絡感知部は前記第２出力端子と接地電圧との間に接続され、前記第２制御信号に基づいてターンオン（ｔｕｒｎ−ｏｎ）されるプル−ダウン部をさらに含むことができる。
【００１７】
前記プル−ダウン部は前記第２出力端子に一端が接続されるプル−ダウン抵抗及び前記プル−ダウン抵抗の他端と前記接地電圧との間に接続され、前記第２制御信号がイネーブルされる場合、短絡されて前記第２制御信号がディセーブルされる場合、開放される第２スイッチを含むことができる。
【００１８】
前記第２スイッチは前記抵抗の他端に接続されるドレイン、前記接地電圧に接続されるソース及び前記第２制御信号が印加されるゲートを具備するＮＭＯＳトランジスタを含むことができる。
【００１９】
前記短絡感知部は前記第２制御信号を反転させ反転信号を生成するインバータ及び前記比較器の出力端子と接地電圧との間に接続され、前記反転信号に基づいて開閉される第３スイッチをさらに含むことができる。
【００２０】
前記第３スイッチは前記反転信号がディセーブルされる場合、開放されて前記比較器の出力端子を前記接地電圧から分離させ、前記反転信号がイネーブルされる場合、短絡されて前記第３制御信号をディセーブルさせることができる。
【００２１】
前記短絡感知部は前記基準電圧を生成する基準電圧生成器をさらに含むことができる。
【００２２】
一実施形態において、前記第１駆動電圧は正の電位を有し、前記第２駆動電圧は負の電位を有することができる。  
【００２３】
一実施形態において、前記第１駆動電圧は負の電位を有し、前記第２駆動電圧は正の電位を有することができる。
【００２４】
上述した本発明の一目的を達成するために、本発明の一実施形態に係る表示装置は表示パネル、電源変換器及び駆動部を含むことができる。前記表示パネルは第１駆動電圧、第２駆動電圧及びデータ信号を受信して動作する複数の画素を具備する。前記電源変換器は第１制御信号に応答して前記表示パネルに前記第１駆動電圧及び前記第２駆動電圧を短絡探知区間の間隔を置いて順次に提供し、前記短絡探知区間の間、前記第２駆動電圧が出力される端子の電圧の大きさが基準電圧の大きさ以上の場合、シャットダウン（ｓｈｕｔ ｄｏｗｎ）される。前記駆動部は前記表示パネルに前記データ信号を提供し、前記電源変換器に前記第１制御信号を提供する。
【００２５】
一実施形態において、前記第１駆動電圧は正の電位を有し、前記第２駆動電圧は負の電位を有することができる。
【００２６】
一実施形態において、前記第１駆動電圧は負の電位を有し、前記第２駆動電圧は正の電位を有することができる。
【００２７】
一実施形態において、前記短絡探知区間はｎ（ｎは正の整数）個のフレーム周期に相応することができる。
【００２８】
一実施形態において、前記電源変換器は前記短絡探知区間の間、前記第２駆動電圧が出力される端子をプル−ダウン抵抗を通じて接地電圧に接続させることができる。
【００２９】
一実施形態において、前記駆動部は前記短絡探知区間の間、黒色に相応する前記データ信号を前記表示パネルに提供することができる。
【００３０】
前記駆動部は前記短絡探知区間以後、少なくとも１フレーム周期に相応する時間の間、黒色に相応する前記データ信号を前記表示パネルに提供することができる。
【００３１】
一実施形態において、前記電源変換器は前記第１制御信号に応答して電源電圧を変換して第１出力端子で前記第１駆動電圧を出力し、前記短絡探知区間の間、前記短絡探知区間の後で、前記電源電圧を変換して第２出力端子で前記第２駆動電圧を出力し、第３制御信号に応答してシャットダウン（ｓｈｕｔ ｄｏｗｎ）される電圧変換部及び前記短絡探知区間の間、前記第２出力端子の電圧の大きさと前記基準電圧の大きさとを比較して前記第３制御信号を生成する短絡感知部を含むことができる。
【００３２】
一実施形態において、前記複数の画素のそれぞれは有機発光ダイオードを含むことができる。
【００３３】
上述した本発明の一目的を達成するために、本発明の一実施形態に係る表示装置の駆動方法において、電源変換器が表示パネルに第１駆動電圧を提供し、短絡探知区間の間、前記電源変換器が第２駆動電圧が出力される端子の電圧の大きさと基準電圧の大きさとを比較し、前記短絡探知区間の間、前記第２駆動電圧が出力される端子の電圧の大きさが前記基準電圧の大きさ未満の場合、前記短絡探知区間の後で、前記電源変換器が前記表示パネルに前記第２駆動電圧を提供し、前記第２駆動電圧が出力される端子の電圧の大きさが前記基準電圧の大きさ以上の場合、前記電源変換器がシャットダウン（ｓｈｕｔ ｄｏｗｎ）される。
【００３４】
一実施形態において、前記第１駆動電圧は正の電位を有し、前記第２駆動電圧は負の電位を有することができる。
【００３５】
一実施形態において、前記第１駆動電圧は負の電位を有し、前記第２駆動電圧は正の電位を有することができる。
【００３６】
一実施形態において、前記比較する段階の前に、前記短絡探知区間の間、前記第２駆動電圧が出力される端子をプル−ダウン抵抗を通じて接地電圧に接続させる段階をさらに含むことができる。
【００３７】
一実施形態において、前記第１駆動電圧を提供する段階の前に、駆動部が前記表示パネルに黒色に相応するデータ信号を提供する段階をさらに含むことができる。
【００３８】
前記データ信号を提供する段階は、前記短絡探知区間の間及び前記短絡探知区間以後、少なくとも１フレーム周期に相応する時間の間、黒色に相応する前記データ信号を前記表示パネルに提供する段階であってもよい。
【００３９】
一実施形態において、前記表示パネルは有機発光ダイオードを含むことができる。
【００４０】
上述した本発明の一目的を達成するために、本発明の一実施形態に係るシステムは保存装置、表示装置及びプロセッサを含む。前記保存装置は映像データを保存する。前記表示装置は前記映像データをディスプレイする。前記プロセッサは前記保存装置及び前記表示装置の動作を制御する。前記表示装置は第１駆動電圧、第２駆動電圧及びデータ信号を受信して動作する複数の画素を具備する表示パネル、第１制御信号に応答して前記表示パネルに前記第１駆動電圧及び前記第２駆動電圧を短絡探知区間の間隔を置いて順次に提供して、前記短絡探知区間の間、前記第２駆動電圧が出力される端子の電圧の大きさが基準電圧の大きさ以上の場合、シャットダウン（ｓｈｕｔ ｄｏｗｎ）される電源変換器及び前記表示パネルに前記データ信号を提供し、前記電源変換器に前記第１制御信号を提供する駆動部を含む。
【発明の効果】
【００４１】
本発明の実施形態に係る電源変換器は第１駆動電圧を出力し、第２駆動電圧は出力しない状態で第２駆動電圧が出力される第２出力端子の電圧の大きさが第１駆動電圧につれて増加する場合、第１駆動電圧が出力される第１出力端子に接続された配線と第２出力端子に接続された配線が短絡されたと判断して駆動を止めることによって、微細な短絡が発生した場合にもこれを効果的に感知することができる。
【００４２】
本発明の実施形態に係る表示装置は前記電源変換器を含み構成されることによって、表示パネル上で発生できる微細な短絡まで感知して動作を止めることができる。
【００４３】
本発明の実施形態に係るシステムは前記表示装置を含み構成されることによって表示装置で発生できる微細な短絡まで感知して動作を止めることができる。
【００４４】
本発明の実施形態に係る表示装置駆動方法は電源変換器が第１駆動電圧を出力し、第２駆動電圧は出力しない状態で第２駆動電圧が出力される第２出力端子の電圧の大きさが第１駆動電圧につれて増加する場合、表示パネル上で配線の間に短絡が発生したと判断して駆動を止めることによって微細な短絡が発生した場合にもこれを効果的に感知することができる。
【００４５】
ただ、本発明の効果は上述した効果に限定されるのではなく、本発明の思想及び領域から離れない範囲で多様に拡張される。
【図面の簡単な説明】
【００４６】
【図１】本発明の一実施形態に係る電源変換器を示したブロック図である。
【図２】図１の電源変換器の駆動方法の一例を示したフローチャートである。
【図３】図１の電源変換器の実施形態を示したブロック図である。
【図４】図１の電源変換器の実施形態を示したブロック図である。
【図５】図１の電源変換器の実施形態を示したブロック図である。
【図６】図１の電源変換器の実施形態を示したブロック図である。
【図７】図１の電源変換器の実施形態を示したブロック図である。
【図８】第１駆動電圧は正の電位を有し、第２駆動電圧は負の電位を有して短絡が発生しない場合に対する図１の電源変換器の動作を説明するためのタイミング図である。
【図９】第１駆動電圧は正の電位を有し、第２駆動電圧は負の電位を有して短絡が発生する場合に対する図１の電源変換器の動作を説明するためのタイミング図である。
【図１０】第１駆動電圧は負の電位を有し、第２駆動電圧は正の電位を有して短絡が発生しない場合に対する図１の電源変換器の動作を説明するためのタイミング図である。
【図１１】第１駆動電圧は負の電位を有し、第２駆動電圧は正の電位を有して短絡が発生する場合に対する図１の電源変換器の動作を説明するためのタイミング図である。
【図１２】本発明の一実施形態に係る表示装置を示したブロック図である。
【図１３】図１２の表示装置の一例を示したブロック図である。
【図１４】図１３の表示層著に含まれる表示パネルのある画素の一例を示した回路図である。
【図１５】図１２の表示装置の駆動方法の一例を示したフローチャートである。
【図１６】図１２の表示装置の駆動方法のほかの形態を示したフローチャートである。
【図１７】図１２の表示装置の駆動方法のまた他の形態を示したフローチャートである。
【図１８】正の駆動電圧が先に出力され、負の駆動電圧が短絡探知区間の後で出力され表示パネル上で短絡が発生しない場合に対する図１３の表示装置の動作を説明するためのタイミング図である。
【図１９】正の駆動電圧が先に出力され、負の駆動電圧が短絡探知区間の後で出力され表示パネル上で短絡が発生した場合に対する図１３の表示装置の動作を説明するためのタイミング図である。
【図２０】負の駆動電圧が咲きに出力され、正の駆動電圧が短絡探知区間の後で出力され表示パネル上で短絡が発生しない場合に対する図１３の表示装置の動作を説明するためのタイミング図である。
【図２１】負の駆動電圧が咲きに出力され、正の駆動電圧が短絡探知区間の後で出力され表示パネル上で短絡が発生する場合に対する図１３の表示装置の動作を説明するためのタイミング図である。
【図２２】本発明の一実施形態に係る表示装置を含むシステムを示したブロック図である。
【発明を実施するための形態】
【００４７】
本明細書で開示する本発明の実施形態に対して、特定の構造的又は機能的説明は単に本発明の実施形態を説明するための目的で例示したものであり、本発明の実施形態は多様な形態で実施され、本明細書で説明した実施形態に限定されるものと解釈してはならない。
【００４８】
本発明は、多様な変更を加えることができ、様々な形態を有することができるが、特定の実施形態を図面に例示して本明細書で詳細に説明する。しかし、これは本発明を特定の開示形態に限定しようとするものではなく、本発明の思想及び技術範囲に含まれる全ての変更、均等物、或いは代替物を含むものとして理解せねばならない。
【００４９】
第１、第２などの用語は多様な構成要素を説明するために使用することができるが、これらの構成要素は用語によって限定されてはならない。用語は１つの構成要素を他の構成要素から区別する目的として使用することができる。例えば、本発明の権利範囲から逸脱せずに第１構成要素は第２構成要素と命名することができ、同様に第２構成要素も第１構成要素と命名することができる。
【００５０】
ある構成要素が他の構成要素に「接続され」る、又は「接続されて」いると言及した場合には、その他の構成要素に直接的に接続されたり、又は接続されていたりすることもあるが、中間に他の構成要素が存在することもあると理解すべきである。反面、ある構成要素が他の構成要素に「直接接続され」る、又は「直接接続されて」いると言及した場合には、中間に他の構成要素が存在しないことと理解すべきである。構成要素の間の関係を説明する他の表現、即ち「〜間に」と「すぐに〜間に」、又は「〜に隣接する」と「〜に直接隣接する」等も同じように解釈すべきである。
【００５１】
本明細書で使用する用語は単に特定の実施形態を説明するために使用するものであり、本発明を限定しようとする意図ではない。単数の表現は文脈上明白に異なるように意味しない限り、複数の表現を含む。本明細書で、「含む」又は「有する」等の用語は明細書上に記載した特徴、数字、段階、動作、構成要素、部品、又はこれらを組み合わせたものが存在することを指定しようとするものであって、１つ又はそれ以上の他の特徴や数字、段階、動作、構成要素、部品、又はこれらを組み合わせたものなどの存在、又は付加の可能性を、予め排除しないことと理解すべきである。
【００５２】
また、特に定義しない限り、技術的或いは科学的用語を含み、ここで使用する全ての用語は、本発明が属する技術分野で通常の知識を有する者であれば、一般的に理解されることと同一な意味を有する。一般的に使用される辞書において定義する用語と同じ用語は関連技術の文脈上に有する意味と一致する意味を有することと理解すべきであり、本明細書において明白に定義しない限り、理想的或いは形式的な意味として解釈してはならない。
【００５３】
以下、本発明を実施するための形態の具体例を、図面を参照しながらより詳細に説明する。図面上の同じ構成要素に対しては同じ参照符号を使用し、同じ構成要素に対して重複する説明は省略する。
【００５４】
図１は本発明の一実施形態に係る電源変換器を示したブロック図である。
【００５５】
図１を参照すると、電源変換器１０は電圧変換部１００及び短絡（ｓｈｏｒｔ）感知部２００を含む。
【００５６】
電圧変換部１００は外部から受信される第１制御信号ＣＯＮ１に応答して電源電圧ＶＤＤを変換して第１出力端子１１０で第１駆動電圧ＤＶ１を出力し、短絡探知区間の間、第２制御信号ＣＯＮ２をイネーブルさせる。電圧変換部１００は前記短絡探知区間の後で、電源電圧ＶＤＤを変換して第２出力端子１２０で第２駆動電圧ＤＶ２を出力し、第２制御信号ＣＯＮ２をディセーブルさせる。一方、電圧変換部１００は第３制御信号ＣＯＮ３に応答してシャットダウン（ｓｈｕｔ ｄｏｗｎ）される。例えば、電圧変換部１００は第３制御信号ＣＯＮ３に応答して第１駆動電圧ＤＶ１及び第２駆動電圧ＤＶ２の生成を中断することができる。
【００５７】
短絡感知部２００は前記短絡探知区間の間、第２出力端子１２０の電圧の大きさと基準電圧Ｖｒｅｆの大きさを比較し、前記比較結果を示した第３制御信号ＣＯＮ３を電圧変換部１００に提供する。短絡感知部２００は前記短絡探知区間の後では、動作を止めることができる。例えば、短絡感知部２００は第２制御信号ＣＯＮ２がイネーブルされる前記短絡探知区間の間だけ動作し、第２制御信号ＣＯＮ２がディセーブルされる前記短絡探知区間の後では、動作を止めることができる。一実施形態において、短絡感知部２００は前記短絡探知区間のうちの一時点で第２出力端子１２０の電圧の大きさをセンシングして基準電圧Ｖｒｅｆの大きさと比較して第３制御信号ＣＯＮ３を生成することができる。
【００５８】
一方、第１制御信号ＣＯＮ１、第２制御信号ＣＯＮ２及び第３制御信号ＣＯＮ３は論理ハイレバルでイネーブルされ論理ローレベルでディセーブルされる信号であってもよい。
【００５９】
図２は図１の電源変換器の駆動方法の一例を示したフローチャートである。
【００６０】
図２を参照すると、電圧変換部１００は外部から受信される第１制御信号ＣＯＮ１に応答して電源電圧ＶＤＤを変換して第１出力端子１１０で第１駆動電圧ＤＶ１を出力して前記短絡探知区間の間、第２制御信号ＣＯＮ２をイネーブルさせる（段階Ｓ１０）。短絡感知部２００は前記短絡探知区間の間、第２出力端子１２０の電圧の大きさと基準電圧Ｖｒｅｆとの大きさを比較し、前記比較結果を示した第３制御信号ＣＯＮ３を生成して電圧変換部１００に提供する（段階Ｓ２０）。電圧変換部１００は第３制御信号ＣＯＮ３がイネーブルされるのか否かを判断する（段階Ｓ３０）。第３制御信号ＣＯＮ３が前記短絡探知区間の間持続的にディセーブルされる場合、電圧変換部１００は前記短絡探知区間の以後に電源電圧ＶＤＤを変換して第２出力端子１２０で第２駆動電圧ＤＶ２を出力し、第２制御信号ＣＯＮ２をディセーブルさせることによって電源変換器１０は通常動作を遂行する（段階Ｓ４０）。一方、第３制御信号ＣＯＮ３が前記短絡探知区間内でイネーブルされる場合、電圧変換部１００はシャットダウン（ｓｈｕｔ ｄｏｗｎ）され電源変換器１０の動作は止まる（段階Ｓ５０）。
【００６１】
したがって、電源変換器１０は第１駆動電圧ＤＶ１を出力し、第２駆動電圧ＤＶ２は出力しない状態で第２駆動電圧ＤＶ２が出力される第２出力端子１２０の電圧の大きさが第１駆動電圧ＤＶ１につれて増加するのか否かを判断して、第２出力端子１２０の電圧の大きさが基準電圧Ｖｒｅｆの大きさ以上に増加する場合、第１駆動電圧ＤＶ１が出力される第１出力端子１１０に接続された配線と第２出力端子１２０に接続された配線が短絡されたと判断して駆動を止める。
【００６２】
図３は図１の電源変換器の一例を示したブロック図である。
【００６３】
図３を参照すると、電源変換器１０ａは電圧変換部１００及び短絡感知部２００ａを含む。
【００６４】
電圧変換部１００ａは制御部１３０、第１電圧変換器１４０及び第２電圧変換器１５０を含むことができる。
【００６５】
制御部１３０は外部から受信される第１制御信号ＣＯＮ１がイネーブルされる時点に第１駆動信号ＤＲＶ１をイネーブルさせ、前記短絡探知区間の間、第２制御信号ＣＯＮ２をイネーブルさせることができる。また、制御部１３０は前記短絡探知区間の後で、第２駆動信号ＤＲＶ２をイネーブルさせ、第２制御信号ＣＯＮ２をディセーブルさせることができる。一方、制御部１３０は、第３制御信号ＣＯＮ３がイネーブルされる時点に第１駆動信号ＤＲＶ１及び第２駆動信号ＤＲＶ２をディセーブルさせることができる。
【００６６】
第１電圧変換器１４０は、第１駆動信号ＤＲＶ１がイネーブルされる間、電源電圧ＶＤＤを変換して第１駆動電圧ＤＶ１を生成し、第１出力端子１１０を通じて第１駆動電圧ＤＶ１を出力することができる。第２電圧変換器１５０は、第２駆動信号ＤＲＶ２がイネーブルされる間、電源電圧ＶＤＤを変換して第２駆動電圧ＤＶ２を生成し、第２出力端子１２０を通じて第２駆動電圧ＤＶ２を出力することができる。第１電圧変換器１４０及び第２電圧変換器１５０は多様な構成で具現される。
【００６７】
短絡感知部２００ａは比較器２１０及び第１スイッチ２２０を含むことができる。
【００６８】
比較器２１０は、電源電圧ＶＤＤを供給され動作し、第２出力端子１２０の電圧の大きさが基準電圧Ｖｒｅｆの大きさ以上の場合、第３制御信号ＣＯＮ３をイネーブルさせ、第２出力端子１２０の電圧の大きさが基準電圧Ｖｒｅｆの大きさ未満の場合、第３制御信号ＣＯＮ３をディセーブルさせることができる。
【００６９】
第１スイッチ２２０は電源電圧ＶＤＤと比較器２１０との間に接続され、第２制御信号ＣＯＮ２に基づいて開閉されて電源電圧ＶＤＤを比較器２１０に選択的に提供することができる。例えば、第１スイッチ２２０は第２制御信号ＣＯＮ２がイネーブルされる場合、短絡されて比較器２１０に電源電圧ＶＤＤを供給し、第２制御信号ＣＯＮ２がディセーブルされる場合、開放され比較器２１０から電源電圧ＶＤＤの供給を遮断することができる。
【００７０】
したがって、短絡感知部２００ａは第２制御信号ＣＯＮ２がイネーブルされる前記短絡探知区間の間にだけ動作して、第２出力端子１２０の電圧の大きさと基準電圧Ｖｒｅｆとの大きさを比較してイネーブル、または、ディセーブルされる第３制御信号ＣＯＮ３を電圧変換部１００ａに提供することができる。
【００７１】
制御部１３０は前記短絡探知区間の長さを調節するタイミング生成器１３１を含むことができる。第１出力端子１１０に接続された配線と第２出力端子１２０に接続された配線の間に微細な短絡が発生した場合、第１駆動信号ＤＲＶ１が出力される時点から時間第２出力端子１２０の電圧の大きさは次第に増加するので、前記短絡探知区間の長さが増加するほどさらに微細な短絡まで感知することができる。
【００７２】
図４は図１の電源変換器の他の例を示したブロック図である。
【００７３】
図４の電源変換器１０ｂは短絡感知部２００ｂにプル−ダウン（ｐｕｌｌ−ｄｏｗｎ）部２３０がさらに含まれるのを除いては、図３の電源変換器１０ａと同一なので、同じ構成要素は同じ参照番号に代えて図３の電源変換器１０ａと重複する説明は省略する。
【００７４】
図４を参照すると、短絡感知部２００ｂは図３の短絡感知部２００ａで第２出力端子１２０と接地電圧ＧＮＤとの間に接続され、第２制御信号ＣＯＮ２に基づいてターンオン（ｔｕｒｎ−ｏｎ）されるプル−ダウン部２３０をさらに含むことができる。プル−ダウン部２３０は第２出力端子１２０に一端が接続されるプル−ダウン抵抗２３１及びプル−ダウン抵抗２３１の他段と接地電圧ＧＮＤとの間に接続されて第２制御信号ＣＯＮ２がイネーブルされる場合、短絡され第２制御信号ＣＯＮ２がディセーブルされる場合、開放される第２スイッチ２３３を含み構成されることができる。例えば、第２スイッチ２３３はプル−ダウン抵抗２３１の他段に接続されるドレイン、接地電圧ＧＮＤに接続されるソース及び第２制御信号ＣＯＮ２が印加されるゲートを具備するＮＭＯＳ（Ｎ−ｔｙｐｅ Ｍｅｔａｌ Ｏｘｉｄｅ Ｓｅｍｉｃｏｎｄｕｃｔｏｒ）トランジスタであってもよい。
【００７５】
図３に示された電源変換器１０ａにおいて、前記短絡探知区間の間に電圧変換部１００は第１駆動電圧ＤＶ１だけ出力し、第２駆動電圧ＤＶ２は出力しないので、第２出力端子１２０はフローティング（ｆｌｏａｔｉｎｇ）状態になる。しかしながら、図４に示された電源変換器１０ｂにおいて、短絡感知部２００ｂに含まれるプル−ダウン部２３０は前記短絡探知区間の間、第２出力端子１２０をプル−ダウン抵抗２３１を通じて接地電圧ＧＮＤに接続させることによって、第１出力端子１１０に接続された配線と第２出力端子１２０に接続された配線が短絡されて第２出力端子１２０の電圧の大きさが第１駆動電圧ＤＶ１につれて増加するのかどうかを明確に判断することができる。一方、前記短絡探知区間の後では、電源変換器１０ｂが第１駆動電圧ＤＶ１及び第２駆動電圧ＤＶ２を正常に出力する通常動作区間であるため、第２スイッチ２３３はターンオフ（ｔｕｒｎ ｏｆｆ）されて第２出力端子１２０を接地電圧ＧＮＤから分離させることができる。
【００７６】
一実施形態において、プル−ダウン抵抗２３１は電圧変換部１００ａがシャットダウンされる場合に第１出力端子１１０と接地電圧ＧＮＤとの間、または、第２出力端子１２０と接地電圧ＧＮＤとの間に接続されるキャパシタ（図示されず）を放電させるのに用いられるディスチャージ（ｄｉｓｃｈａｒｇｅ）抵抗を用いて構成されることができる。この場合、プル−ダウン抵抗２３１のための別途の抵抗を具備しないでプル−ダウン部２３０を構成することができる。
【００７７】
図５は図１の電源変換器のまた他の例を示したブロック図である。
【００７８】
図５の電源変換器１０ｃは短絡感知部２００ｃにインバータ２４０及び第３スイッチ２５０がさらに含まれるのを除いては、図４の電源変換器１０ｂと同様なので、同一な構成要素は同一な参照番号に代えて図３の電源変換器１０ａ及び図４の電源変換器１０ｂと重複する説明は省略する。
【００７９】
図５を参照すると、短絡感知部２００ｃは図４の短絡感知部２００ｂで第２制御信号ＣＯＮ２を反転させて反転信号を生成するインバータ２４０及び比較器２１０の出力端子と接地電圧ＧＮＤとの間に接続され、前記反転信号に基づいて開閉される第３スイッチ２５０をさらに含むことができる。例えば、第３スイッチ２５０は前記反転信号がディセーブルされる場合開放されて比較器２１０の出力端子を接地電圧ＧＮＤから分離させ、前記反転信号がイネーブルされる場合、短絡されて第３制御信号ＣＯＮ３をディセーブルさせることができる。すなわち、第３スイッチ２５０は前記短絡探知区間の間は開放されて、比較器２１０が出力する第３制御信号ＣＯＮ３が電圧変換部１００に提供されるようにし、前記短絡探知区間の後では、短絡されて比較器２１０の出力端子を論理ローレベルで固定させることによって第３制御信号ＣＯＮ３をディセーブルさせることができる。
【００８０】
図３に示された電源変換器１０ａ、または、図４に示された電源変換器１０ｂにおいて、第１スイッチ２２０は前記短絡探知区間の間イネーブルされ比較器２１０に電源電圧ＶＤＤを供給するので、比較器２１０は前記短絡探知区間の間、第２出力端子１２０の電圧の大きさと基準電圧Ｖｒｅｆの大きさとを比較してイネーブル、または、ディセーブルされる第３制御信号ＣＯＮ３を出力するか、第１スイッチ２２０は前記短絡探知区間の後では、開放されて比較器２１０から電源電圧ＶＤＤの供給を遮断するので、前記短絡探知区間の後で、比較器２１０の出力端子は論理レベルを特定できないフローティング状態になる。しかし、図５に示された電源変換器１０ｃにおいて、短絡感知部２００ｃに含まれるインバータ２４０及び第３スイッチ２５０は前記短絡探知区間以後、通常動作区間の間比較器２１０の出力端子を論理ローレベルで固定させ、第３制御信号ＣＯＮ３をディセーブルさせることによって、前記短絡探知区間以後、通常動作区間でイネーブルされた第３制御信号ＣＯＮ３が電圧変換部１００ａに提供されて電圧変換部１００ａがシャットダウンされるのを防止することができる。
【００８１】
図６は図１の電源変換器のまた他の例を示したブロック図である。
【００８２】
図６の電源変換器１０ｄは短絡感知部２００ｄに基準電圧生成器（ＲＥＦＧＥＮ）２６０がさらに含まれるのを除いては図５の電源変換器１０ｃと同一なので、同じ構成要素は同じ参照番号に変えて図３の電源変換器１０ａ、図４の電源変換器１０ｂ及び図５の電源変換器１０ｃと重複する説明は省略する。
【００８３】
図６を参照すると、短絡感知部２００ｄは図５の短絡感知部２００ｃで基準電圧Ｖｒｅｆを生成する基準電圧生成器２６０をさらに含むことができる。図３の電源変換器１０ａ、図４の電源変換器１０ｂ及び図５の電源変換器１０ｃは基準電圧Ｖｒｅｆを外部から受信するのに反して、図６の電源変換器１０ｄは基準電圧生成器２６０を含むことによって基準電圧Ｖｒｅｆを内部的に生成することができる。第１出力端子１１０に接続された配線と第２出力端子１２０に接続された配線の間に発生した短絡が微細なほど、第１駆動電圧ＤＶ１につれて増加する第２出力端子１２０の電圧は少ないので、基準電圧Ｖｒｅｆの大きさを減少させるほどさらに微細な短絡まで感知することができる。
【００８４】
図７は図１の電源変換器のまた他の形態を示したブロック図である。
【００８５】
図７の電源変換器１０ｅは電源変換部１００ｂに比較器１６０がさらに含まれることを除いては、図３の電源変換器１０ａと同一であるので、同一な構成要素は同一な参照番号に代わり、図３の電源変換器１０ａと重複される説明は省略する。
【００８６】
図７を参照すると、電圧変換部１００ｂは図３の電圧変換部１００ａで第１駆動電圧ＤＶ１の大きさと目標電圧Ｖｔの大きさを比較して第４制御信号ＣＯＮ４を生成する比較器１６０をさらに含むことができる。比較器１６０は第１駆動電圧ＤＶ１の大きさが目標電圧Ｖｔの大きさ未満の場合、ディセーブルされた第４制御信号ＣＯＮ４をタイミング生成器１３１に提供し、第１駆動電圧ＤＶ１の大きさが目標電圧Ｖｔの大きさ以上の場合、イネーブルされた第４制御信号ＣＯＮ４をタイミング生成器１３１に提供することができる。タイミング生成器１３１は第１制御信号ＣＯＮ１がイネーブルされる時点から第４制御信号ＣＯＮ４がイネーブルされる時点までの時間の長さに基づいて、前記短絡探知区間の長さを調節することができる。
【００８７】
例えば、目標電圧Ｖｔの大きさはブースティングが完了した状態での第１駆動電圧ＤＶ１の大きさであってもよい。この場合、第１制御信号ＣＯＮ１がイネーブルされる時点から第４制御信号ＣＯＮ４がイネーブルされる時点までの時間の長さは第１電圧変換器１４０が第１駆動電圧ＤＶ１を目標電圧Ｖｔまでブースティングさせるのにかかるブースティング時間を示す。タイミング生成器１３１は、前記ブースティング時間が長い場合、前記短絡探知区間の長さを増加させ、前記ブースティング時間が短い場合、前記短絡探知区間の長さを減少させることができる。
【００８８】
従って、電圧変換部１００ｂは前記ブースティング時間をセンシングし、これに基づいて、前記短絡探知区間の長さを最適化することによって、電源変換器１０ｅは最適の時間内に第１駆動電圧ＤＶ１及び第２駆動電圧ＤＶ２を正常に出力する正常動作区間に到達することができる。
【００８９】
一実施形態において、第１駆動電圧ＤＶ１は正の電位を有する電圧であり、第２駆動電圧ＤＶ２は負の電位を有する電圧であってもよい。この場合、第１出力端子１１０に接続された配線と第２出力端子１２０に接続された配線との間に短絡が発生すると、第２出力端子１２０の電圧は第１駆動電圧ＤＶ１に伴い正の方向に増加する。したがって、基準電圧Ｖｒｅｆは正の値を有する電圧であってもよい。
【００９０】
他の実施形態で第１駆動電圧ＤＶ１は負の電位を有する電圧で、第２駆動電圧ＤＶ２は正の電位を有する電圧でありうる。この場合、第１出力端子１１０に接続された配線と第２出力端子１２０に接続された配線の間に短絡が発生すれば第２出力端子１２０の電圧は第１駆動電圧ＤＶ１に伴い負の方向に増加する。したがって、基準電圧Ｖｒｅｆは負の値を有する電圧であってもよい。
【００９１】
実施形態に係って、第１駆動電圧ＤＶ１及び第２駆動電圧ＤＶ２の全て正の電位を有する電圧であってもよく、第１駆動電圧ＤＶ１及び第２駆動電圧ＤＶ２の全て負の電位を有する電圧であってもよい。
【００９２】
図８は第１駆動電圧は正の電位を有し、第２駆動電圧は負の電位を有し、短絡が発生しなかった場合に対する図１の電源変換器の動作を説明するためのタイミング図である。
【００９３】
図８を参照すると、外部から受信される第１制御信号ＣＯＮ１がイネーブルされる時点に電圧変換部１００は第１駆動電圧ＤＶ１を出力し、短絡探知区間Ｔｓｄの間、第２制御信号ＣＯＮ２をイネーブルさせる。第１出力端子１１０に接続された配線と第２出力端子１２０に接続された配線との間に短絡が発生しなかったので、図８に示された通り、短絡探知区間Ｔｓｄの間、第２出力端子１２０の電圧ＤＶ２は、第１駆動電圧ＤＶ１につれて増加せず、接地電圧ＧＮＤレベルを維持する。したがって、短絡感知部２００はディセーブルされる第３制御信号ＣＯＮ３を電圧変換部１００に提供し、電圧変換部１００は短絡探知区間Ｔｓｄ以後に電源電圧ＶＤＤを変換して第２出力端子１２０で第２駆動電圧ＤＶ２を出力し、第２制御信号ＣＯＮ２をディセーブルさせることによって、電源変換器１０は通常動作（ｎｏｒｍａｌ ｏｐｅｒａｔｉｏｎ）を遂行する。
【００９４】
図９は第１駆動電圧は正の電位を有し、第２駆動電圧は負の電位を有し、短絡が発生した場合に対する図１の電源変換器の動作を説明するためのタイミング図である。
【００９５】
図９を参照すると、外部から受信される第１制御信号ＣＯＮ１がイネーブルされる時点に電圧変換部１００は第１駆動電圧ＤＶ１を出力して、短絡探知区間Ｔｓｄの間、第２制御信号ＣＯＮ２をイネーブルさせる。第１出力端子１１０に接続された配線と第２出力端子１２０に接続された配線の間に短絡が発生したので、図９に示された通り、短絡探知区間Ｔｓｄの間、第２出力端子１２０の電圧ＤＶ２は、第１駆動電圧ＤＶ１につれて増加する。短絡探知区間Ｔｓｄの間、第２出力端子１２０の電圧ＤＶ２が第１駆動電圧ＤＶ１につれて増加して基準電圧Ｖｒｅｆの大きさ以上になると、短絡感知部２００はイネーブルされた第３制御信号ＣＯＮ３を電圧変換部１００に提供する。電圧変換部１００はイネーブルされた第３制御信号ＣＯＮ３を受信する場合、第１駆動電圧ＤＶ１の生成を中断する。したがって、図９に示された通り、第３制御信号ＣＯＮ３がイネーブルされる時点で第１駆動電圧ＤＶ１の出力が中断されて第１駆動電圧ＤＶ１の大きさは次第に減り、接地電圧ＧＮＤレベルになり、これに伴い、第２出力端子１２０の電圧ＤＶ２の大きさも次第に減り、接地電圧ＧＮＤレベルになり電源変換器１０はシャットダウン（ｓｈｕｔ ｄｏｗｎ）状態となる。
【００９６】
図１０は第１駆動電圧は負の電位を有し、第２駆動電圧は正の電位を有し、短絡が発生しなかった場合に対する図１の電源変換器の動作を説明するためのタイミング図である。
【００９７】
図１０を参照すると、外部から受信される第１制御信号ＣＯＮ１がイネーブルされる時点に電圧変換部１００は第１駆動電圧ＤＶ１を出力し、短絡探知区間Ｔｓｄの間、第２制御信号ＣＯＮ２をイネーブルさせる。第１出力端子１１０に接続された配線と第２出力端子１２０に接続された配線との間に短絡が発生しなかったので、図１０に示された通り、短絡探知区間Ｔｓｄの間、第２出力端子１２０の電圧ＤＶ２は、第１駆動電圧ＤＶ１に伴い負の方向に増加せず、接地電圧ＧＮＤレベルを維持する。したがって、短絡感知部２００はディセーブルされる第３制御信号ＣＯＮ３を電圧変換部１００に提供し、電圧変換部１００は短絡探知区間Ｔｓｄ以後に電源電圧ＶＤＤを変換して第２出力端子１２０で第２駆動電圧ＤＶ２を出力して第２制御信号ＣＯＮ２をディセーブルさせることによって、電源変換器１０は通常動作（ｎｏｒｍａｌ ｏｐｅｒａｔｉｏｎ）を遂行する。
【００９８】
図１１は第１駆動電圧は負の電位を有し、第２駆動電圧は正の電位を有し、短絡が発生した場合に対する図１の電源変換器の動作を説明するためのタイミング図である。
【００９９】
図１１を参照すると、外部から受信される第１制御信号ＣＯＮ１がイネーブルされる時点に電圧変換部１００は第１駆動電圧ＤＶ１を出力して、短絡探知区間Ｔｓｄの間、第２制御信号ＣＯＮ２をイネーブルさせる。第１出力端子１１０に接続された配線と第２出力端子１２０に接続された配線との間に短絡が発生したので、図１１に示された通り、短絡探知区間Ｔｓｄの間、第２出力端子１２０の電圧ＤＶ２は、第１駆動電圧ＤＶ１に伴い負の方向に増加する。短絡探知区間Ｔｓｄの間、第２出力端子１２０の電圧ＤＶ２が第１駆動電圧ＤＶ１に伴い、負の方向に増加して基準電圧Ｖｒｅｆの大きさ以上になると、短絡感知部２００はイネーブルされた第３制御信号ＣＯＮ３を電圧変換部１００に提供する。電圧変換部１００はイネーブルされた第３制御信号ＣＯＮ３を受信する場合、第１駆動電圧ＤＶ１の生成を中断する。したがって、図１１に示された通り、第３制御信号ＣＯＮ３がイネーブルされる時点で、第１駆動電圧ＤＶ１の出力が中断されて第１駆動電圧ＤＶ１の大きさは次第に減り、接地電圧ＧＮＤレベルになり、これに伴って、第２出力端子１２０の電圧ＤＶ２の大きさも次第に減り、接地電圧ＧＮＤレベルになり電源変換器１０はシャットダウン（ｓｈｕｔ ｄｏｗｎ）状態となる。
【０１００】
従来の電源変換器は出力端子の間に短絡が発生して出力端子に許容範囲以上の電流が流れる場合にだけ、電源変換器の動作を止める。したがって、微細な短絡が発生して短絡によって出力端子に流れる電流が許容範囲以下の場合には、電源変換器は短絡を感知できず、続いて動作し、短絡が発生した状態で続いて動作する場合、発熱の問題が発生しすることがあり、その程度が激しい場合、火災が発生しうる問題点がある。
【０１０１】
上述した通り、本発明の一実施形態に係る電源変換器１０は、第１駆動電圧ＤＶ１を出力して第２駆動電圧ＤＶ２は出力しない状態で、第２駆動電圧ＤＶ２が出力される第２出力端子１２０の電圧の大きさが第１駆動電圧ＤＶ１につれて増加するのか否かを判断して、第２出力端子１２０の電圧の大きさが基準電圧Ｖｒｅｆの大きさ以上に増加する場合、第１出力端子１１０に接続された配線と第２出力端子１２０に接続された配線が短絡されたと判断して駆動を止める。したがって、本発明の一実施形態に係る電源変換器１０は微細な短絡が発生した場合にもこれを効果的に感知することができる。
【０１０２】
図１２は本発明の一実施形態に係る表示装置を示したブロック図である。
【０１０３】
図１２を参照すると、表示装置１０００は表示パネル３００、電源変換器１０及び駆動部４００を含む。
【０１０４】
表示パネル３００は第１駆動電圧ＤＶ１、第２駆動電圧ＤＶ２及びデータ信号ＤＡＴＡを受信して動作する複数の画素を含む。
【０１０５】
電源変換器１０は第１制御信号ＣＯＮ１に応答して表示パネル３００に第１駆動電圧ＤＶ１及び第２駆動電圧ＤＶ２を短絡探知区間の間隔を置いて順次に提供し、前記短絡探知区間の間、第２駆動電圧ＤＶ２が出力される端子の電圧の大きさが基準電圧の大きさ以上の場合、シャットダウン（ｓｈｕｔ ｄｏｗｎ）されて第１駆動電圧ＤＶ１及び第２駆動電圧ＤＶ２の出力を中断する。電源変換器１０は図１に示された電源変換器１０を用いて構成される。図１に示された電源変換器１０の構成及び動作に対しては図１〜１１に関して詳細に説明したので、ここでは詳細な説明は省略する。
【０１０６】
駆動部４００は表示パネル３００にデータ信号ＤＡＴＡを提供し、電源変換器１０に第１制御信号ＣＯＮ１を提供して電源変換器１０が動作する。
【０１０７】
表示装置１０００は表示パネル３００が電源変換器１０から受信される複数の駆動電圧を用いて駆動部４００から受信されるデータ信号ＤＡＴＡに相応するイメージを表示する任意の種類の表示装置であってもよい。例えば、表示装置１０００は有機発光表示装置であってもよく、この場合、表示パネル３００に含まれる複数の画素それぞれは有機発光ダイオード（Ｏｒｇａｎｉｃ Ｌｉｇｈｔ Ｅｍｉｔｔｉｎｇ Ｄｉｏｄｅ；ＯＬＥＤ）を含むことができる。
【０１０８】
以下では、本発明の一実施形態に係る電源変換器１０を含み具現されることができる多様な表示装置のうち有機発光表示装置についてより詳細に説明する。
【０１０９】
図１３は図１２の表示装置の一例を示したブロック図である。図１２に示された表示装置１０００は有機発光表示装置を示した。
【０１１０】
図１３を参照すると、表示装置１０００は表示パネル３００、電源変換器１０及び駆動部４００を含む。
【０１１１】
表示パネル３００は複数のゲートラインＧ１、Ｇ２、．．．、Ｇｐ及び複数のデータラインＤ１、Ｄ２、．．．、Ｄｑに接続され、マトリックス（ｍａｔｒｉｘ）形態で配列された複数の画素ＰＸを含む。ここでｐ、ｑは正の整数を示した。複数の画素ＰＸのそれぞれは正の駆動電圧ＥＬＶＤＤ、負の駆動電圧ＥＬＶＳＳ、ゲート信号及びデータ信号を受信して動作する。
【０１１２】
駆動部４００はゲートドライバ４１０、データドライバ４２０及びタイミングコントローラ４３０を含み構成される。
【０１１３】
タイミングコントローラ４３０は外部のグラフィックコントローラ（図示されず）からＲＧＢ画像信号（Ｒ、Ｇ、Ｂ）、垂直動機信号Ｖｓｙｎｃ、水平動機信号Ｈｓｙｎｃ、メインクロック信号ＣＬＫ及びデータイネーブル信号ＤＥ等を受信し、このような信号に基づいてＲＧＢ画像信号Ｒ、Ｇ、Ｂに相応する出力映像信号ＤＡＴ、データ制御信号ＤＣＳ、ゲート制御信号ＧＣＳ及び第１制御信号ＥＬ＿ＯＮを生成することができる。タイミングコントローラ４３０はゲート制御信号ＧＣＳをゲートドライバ４１０に提供して、出力映像信号ＤＡＴ及びデータ制御信号ＤＣＳをデータドライバ４２０に提供して第１制御信号ＥＬ＿ＯＮを電源変換器１０に提供することができる。例えば、ゲート制御信号ＧＣＳはゲート信号の出力開始を制御する垂直動機開始信号、ゲート信号の出力時期を制御するゲートクロック信号及びゲート信号の持続時間を制御する出力イネーブル信号などを含むことができ、データ制御信号ＤＣＳはデータ信号の入力開始を制御する水平動機開始信号、データラインＤ１、Ｄ２、．．．、Ｄｑにデータ信号を印加しろとのロード信号及びデータ信号の出力時期を制御するデータクロック信号などを含むことができ、第１制御信号ＥＬ＿ＯＮは電源変換器１０の駆動開始を制御する信号であってもよい。
【０１１４】
ゲートドライバ４１０はタイミングコントローラ４３０から提供されるゲート制御信号ＧＣＳに基づいて表示パネル３００のゲートラインＧ１、Ｇ２、．．．、Ｇｐに順次にゲート信号を印加することができる。
【０１１５】
データドライバ４２０はタイミングコントローラ４３０から提供されるデータ制御信号ＤＣＳ及び出力映像信号ＤＡＴに基づいて、データラインＤ１、Ｄ２、．．．、Ｄｑにデータ信号を印加することができる。
【０１１６】
電源変換器１０はタイミングコントローラ４３０から提供される第１制御信号ＥＬ＿ＯＮに応答して、表示パネル３００に正の駆動電圧ＥＬＶＤＤ及び負の駆動電圧ＥＬＶＳＳを提供する。具体的に、電源変換器１０は第１制御信号ＥＬ＿ＯＮがイネーブルされる時点に正の駆動電圧ＥＬＶＤＤ及び負の駆動電圧ＥＬＶＳＳのうち選択された１つの駆動電圧を表示パネル３００に出力し、電源変換器１０に含まれる短絡感知部２００は短絡探知区間の間、残りの１つの駆動電圧が出力される出力端子の電圧の大きさが前記選択された１つの駆動電圧につれて増加して基準電圧Ｖｒｅｆの大きさ以上の場合、シャットダウンされて正の駆動電圧ＥＬＶＤＤ及び負の駆動電圧ＥＬＶＳＳの出力を中断する。一方、電源変換器１０は前記短絡探知区間の間、前記残り１つの駆動電圧が出力される出力端子の電圧の大きさが基準電圧Ｖｒｅｆの大きさより大きくならない場合、前記短絡探知区間の後で、前記残りの１つの駆動電圧を出力することによって通常動作を遂行する。
【０１１７】
前記短絡探知区間はｎ（ｎは正の整数）個のフレーム周期に相応することができる。正の駆動電圧ＥＬＶＤＤが出力される出力端子に接続された配線と負の駆動電圧ＥＬＶＳＳが出力される出力端子に接続された配線の間に微細な短絡が発生した場合、前記選択された１つの駆動電圧が表示パネル３００に出力される時点から時間が流れによって前記残りの１つの駆動電圧が出力される端子の電圧の大きさが次第に増加するので、前記短絡探知区間の長さを増加させるほどさらに微細な短絡まで感知することができる。
【０１１８】
一実施形態で電源変換器１０は正の駆動電圧ＥＬＶＤＤを先に出力して負の駆動電圧ＥＬＶＳＳを前記短絡探知区間の後で、出力して、前記短絡探知区間の間負の駆動電圧ＥＬＶＳＳが出力される端子の電圧をセンシングしてシャットダウンの可否を判断することができる。この場合、図１２の表示装置１０００においての第１駆動電圧ＤＶ１及び第２駆動電圧ＤＶ２は、それぞれ図１３の表示装置において、正の駆動電圧ＥＬＶＤＤ及び負の駆動電圧ＥＬＶＳＳであってもよい。
【０１１９】
他の実施形態において、電源変換器１０は負の駆動電圧ＥＬＶＳＳを先に出力し、正の駆動電圧ＥＬＶＤＤを前記短絡探知区間の後で、出力して、前記短絡探知区間の間、正の駆動電圧ＥＬＶＤＤが出力される端子の電圧をセンシングしてシャットダウンの可否を判断することもできる。この場合、図１２の表示装置１０００においての第１駆動電圧ＤＶ１及び第２駆動電圧ＤＶ２はそれぞれ図１３の表示装置において負の駆動電圧ＥＬＶＳＳ及び正の駆動電圧ＥＬＶＤＤであってもよい。
【０１２０】
電源変換器１０は図１に示された電源変換器１０を用いて構成されることができる。図１に示された電源変換器１０の構成及び動作に対しては図１〜１１に関して詳細に説明したので、ここでは詳細な説明は省略する。
【０１２１】
図１４は図１３の表示装置に含まれる表示パネルのある画素の一例を示した回路図である。
【０１２２】
図１４を参照すると、複数の画素ＰＸのそれぞれは有機発光ダイオードＯＬＥＤ、駆動トランジスタＱｄ、スイッチングトランジスタＱｓ及びストレージキャパシタＣｓｔを含み構成されることができる。スイッチングトランジスタＱｓはゲートラインＧＬに供給されるゲート信号によってターンオンされてデータラインＤＬに供給されるデータ信号を第１ノードＮ１で提供する。ストレージキャパシタＣｓｔはスイッチングトランジスタＱｓを通じて提供されるデータ信号を保存する。駆動トランジスタＱｄは、スイッチングトランジスタＱｓ、または、ストレージキャパシタＣｓｔから提供される電圧によってターンオンされてデータ信号の大きさに相応する駆動電流ＩＯＬＥＤを流す。駆動電流ＩＯＬＥＤは正の駆動電圧ＥＬＶＤＤから駆動トランジスタＱｄ及び有機発光ダイオードＯＬＥＤを通じて負の駆動電圧ＥＬＶＳＳへ流れる。有機発光ダイオードＯＬＥＤは駆動電流ＩＯＬＥＤの大きさによって強さを別にして発光することによって映像を表示する。
【０１２３】
上述した通り、複数の画素ＰＸのそれぞれはゲートラインＧＬを通じて提供されるゲート信号、データラインＤＬを通じて提供されるデータ信号、正の駆動電圧ＥＬＶＤＤ及び負の駆動電圧ＥＬＶＳＳを受信して映像を表示するので、表示パネル３００上でゲートラインＧＬ、データラインＤＬ、正の駆動電圧ＥＬＶＤＤが伝わる配線及び負の駆動電圧ＥＬＶＳＳが伝わる配線は相互オーバーラップ（ｏｖｅｒｌａｐ）されて形成される。したがって、表示パネル３００上のクラック（ｃｒａｃｋ）、または、異質物などによって前記配線が微細に短絡されることができる。
【０１２４】
本発明の一実施形態に係る表示装置１０００は図１に示されたような電源変換器１０を含むことによって、表示パネル３００上で配線の間に微細な短絡が発生した場合にもこれを効果的に感知して動作を止めることができる。
【０１２５】
図１５は図１２の表示装置の駆動方法の一例を示したフローチャートである。
【０１２６】
以下、図１〜１５を参照して図１２の表示装置１０００の駆動方法について詳細に説明する。
【０１２７】
電源変換器１０が表示パネル３００に第１駆動電圧ＤＶ１を提供する（段階Ｓ１００）。電源変換器１０は表示パネル３００に第１駆動電圧ＤＶ１を提供する時点から短絡探知区間の間、第２駆動電圧ＤＶ１が出力される第２出力端子１２０の電圧の大きさと基準電圧Ｖｒｅｆの大きさとを比較する（段階Ｓ２００）。前記短絡探知区間の間、第２出力端子１２０の電圧の大きさが基準電圧Ｖｒｅｆの大きさ未満の場合、電源変換器１０は前記短絡探知区間の後で、表示パネル３００に第２駆動電圧ＤＶ２を提供することによって、表示装置１０００は通常動作を遂行する（段階Ｓ３００）。一方、前記短絡探知区間の間、第２出力端子１２０の電圧の大きさが基準電圧Ｖｒｅｆの大きさ以上の場合、電源変換器１０は表示パネル３００上で配線の間に短絡が発生したと判断して、シャットダウンされて表示装置１０００は動作を止める（段階Ｓ４００）。
【０１２８】
一実施形態において、前記第１駆動電圧ＤＶ１は正の電位を有する正の駆動電圧ＥＬＶＤＤであり、前記第２駆動電圧ＤＶ２は負の電位を有する負の駆動電圧ＥＬＶＳＳであってもよい。
【０１２９】
他の実施形態において、前記第１駆動電圧ＤＶ１は負の電位を有する負の駆動電圧ＥＬＶＳＳであり、前記第２駆動電圧ＤＶ２は正の電位を有する正の駆動電圧ＥＬＶＤＤであってもよい。
【０１３０】
図１６は図１２の表示装置の駆動方法の他の例を示したフローチャートである。
【０１３１】
図１６を参照すると、図１６に係る表示装置１０００の駆動方法は図１５に係る表示装置１０００の駆動方法において、電源変換器１０が前記短絡探知区間の間、第２駆動電圧ＤＶ１が出力される第２出力端子１２０の電圧の大きさと基準電圧Ｖｒｅｆの大きさとを比較する段階（段階Ｓ２００）以前に、電源変換器１０が前記短絡探知区間の間、第２駆動電圧ＤＶ２が出力される第２出力端子１２０をプル−ダウン抵抗２３１を通じて接地電圧に接続させる段階（段階Ｓ１５０）をさらに含むことができる。
【０１３２】
前記短絡探知区間の間に電源変換器１０は第１駆動電圧ＤＶ１だけ出力し、第２駆動電圧ＤＶ２は出力しないので、第２出力端子１２０はフローティング（ｆｌｏａｔｉｎｇ）状態となる。
【０１３３】
したがって、電源変換器１０は前記短絡探知区間の間、第２出力端子１２０をプル−ダウン抵抗２３１を通じて接地電圧ＧＮＤに接続させることによって、表示パネル３００で配線の間に短絡が発生して第２出力端子１２０の電圧の大きさが第１駆動電圧ＤＶ１につれて増加するのかどうかを明確に判断することができる。一方、前記短絡探知区間の後では、電源変換器１０が第１駆動電圧ＤＶ１及び第２駆動電圧ＤＶ２を正常に出力する通常動作区間であるため、電源変換器１０は前記短絡探知区間の後では、第２出力端子１２０を接地電圧ＧＮＤから分離させることができる。
【０１３４】
図１７は図１２の表示装置の駆動方法のまた他の例を示したフローチャートである。
【０１３５】
図１７を参照すると、図１７に係る表示装置１０００の駆動方法は図１６に係る表示装置１０００の駆動方法で電源変換器１０が表示パネル３００に第１駆動電圧ＤＶ１を提供する段階（段階Ｓ１００）以前に駆動部４００が表示パネル３００に黒色に相応するデータ信号ＤＡＴＡを提供する段階（段階Ｓ５０）をさらに含むことができる。
【０１３６】
図１３及び１４を参照して説明した通り、データラインＤＬに印加されるデータ信号の大きさに相応する駆動電流ＩＯＬＥＤが正の駆動電圧ＥＬＶＤＤから有機発光ダイオードＯＬＥＤを通じて負の駆動電圧ＥＬＶＳＳで流れる。すなわち、白色に相応するデータ信号がデータラインＤＬに印加される場合、正の駆動電圧ＥＬＶＤＤから負の駆動電圧ＥＬＶＳＳで流れる駆動電流ＩＯＬＥＤの強さが最大になり、黒色に相応するデータ信号がデータラインＤＬに印加される場合、正の駆動電圧ＥＬＶＤＤから負の駆動電圧ＥＬＶＳＳで流れる駆動電流ＩＯＬＥＤの強さは実質的に０になる。
【０１３７】
したがって、駆動部４００は前記短絡探知区間の間、黒色に相応するデータ信号ＤＡＴＡを表示パネル３００に提供することによって（段階Ｓ５０）、正の駆動電圧ＥＬＶＤＤから有機発光ダイオードＯＬＥＤを通じて負の駆動電圧ＥＬＶＳＳで流れる駆動電流ＩＯＬＥＤが遮断されるので、電源変換器１０は第２出力端子１２０の電圧の大きさが第１駆動電圧ＤＶ１につれて増加するのかどうかを明確に判断することができる。
【０１３８】
一方、前記短絡探知区間の間、第２出力端子１２０の電圧の大きさが基準電圧Ｖｒｅｆの大きさ未満の場合、電源変換器１０は前記短絡探知区間の後で、第２駆動電圧ＤＶ２を生成し始める。電源変換器１０が第２駆動電圧ＤＶ２を生成し始めて第２駆動電圧ＤＶ２が目標の電位まで昇圧されるには一定な時間が必要とされる。したがって、駆動部４００は前記短絡探知区間に次いで前記短絡探知区間以後、少なくとも１フレーム周期に相応する時間の間、黒色に相応するデータ信号ＤＡＴＡを持続的に表示パネル３００に提供し、その後に有効なデータ信号ＤＡＴＡを表示パネル３００に提供することができる。
【０１３９】
一実施形態において、第１駆動電圧ＤＶ１及び第２駆動電圧ＤＶ２はそれぞれ正の駆動電圧ＥＬＶＤＤ及び負の駆動電圧ＥＬＶＳＳであってもよい。他の実施形態において、第１駆動電圧ＤＶ１及び第２駆動電圧ＤＶ２はそれぞれ負の駆動電圧ＥＬＶＳＳ及び正の駆動電圧ＥＬＶＤＤであってもよい。
【０１４０】
図１８は、正の駆動電圧が先に出力されて、負の駆動電圧が短絡探知区間の後で出力されて表示パネル上で短絡が発生しなかった場合に対する図１３の表示装置の動作を説明するためのタイミング図である。
【０１４１】
図１８は、短絡探知区間Ｔｓｄは１フレーム周期に相応して、駆動部４００は短絡探知区間Ｔｓｄの間及び短絡探知区間Ｔｓｄ以後の１フレーム周期の間、黒色に相応するデータ信号（ＢＬＡＣＫ ＤＡＴＡ）を持続的に表示パネル３００に提供した後、有効なデータ信号（ＶＡＬＩＤ ＤＡＴＡ）を表示パネル３００に提供する場合を示した。
【０１４２】
以下、図１〜１７を参照して図１３の表示装置１０００の動作について詳細に説明する。
【０１４３】
図１８を参照すると、駆動部４００は黒色に相応するデータ信号ＤＡＴＡを表示パネル３００に提供する状態で垂直動機信号Ｖｓｙｎｃに同期して、第１制御信号ＥＬ＿ＯＮを電源変換器１０に含まれる電圧変換部１００に提供する。電圧変換部１００は駆動部４００から提供される第１制御信号ＥＬ＿ＯＮがイネーブルされる時点に、正の駆動電圧ＥＬＶＤＤを出力し、短絡探知区間Ｔｓｄの間、第２制御信号ＣＯＮ２をイネーブルさせる。表示パネル３００上で配線の間に短絡が発生しなかったので、図１８に示された通り、短絡探知区間Ｔｓｄの間、第２出力端子１２０の電圧ＥＬＶＳＳは正の駆動電圧ＥＬＶＤＤにつれて増加せず、接地電圧ＧＮＤレベルを維持する。したがって、電源変換器１０に含まれる短絡感知部２００はディセーブルされる第３制御信号ＣＯＮ３を電圧変換部１００に提供し、電圧変換部１００は短絡探知区間Ｔｓｄ以後に電源電圧ＶＤＤを変換して第２出力端子１２０で負の駆動電圧ＥＬＶＳＳを出力し、第２制御信号ＣＯＮ２をディセーブルさせることによって電源変換器１０は通常動作（ｎｏｒｍａｌ ｏｐｅｒａｔｉｏｎ）を遂行する。
【０１４４】
図１９は正の駆動電圧が先に出力されて負の駆動電圧が短絡探知区間の後で、出力されて表示パネル上で短絡が発生した場合に対する図１３の表示装置の動作を説明するためのタイミング図である。
【０１４５】
図１９は、短絡探知区間Ｔｓｄは１フレーム周期に相応して、駆動部４００は短絡探知区間Ｔｓｄの間及び短絡探知区間Ｔｓｄ以後の１フレーム周期の間、黒色に相応するデータ信号（ＢＬＡＣＫ ＤＡＴＡ）を持続的に表示パネル３００に提供した後、有効なデータ信号（ＶＡＬＩＤ ＤＡＴＡ）を表示パネル３００に提供する場合を示した。
【０１４６】
図１９を参照すると、駆動部４００は黒色に相応するデータ信号ＤＡＴＡを表示パネル３００に提供する状態で垂直動機信号Ｖｓｙｎｃに同期して、第１制御信号ＥＬ＿ＯＮを電源変換器１０に含まれる電圧変換部１００に提供する。電圧変換部１００は駆動部４００から提供される第１制御信号ＥＬ＿ＯＮがイネーブルされる時点に、正の駆動電圧ＥＬＶＤＤを出力し、短絡探知区間Ｔｓｄの間、第２制御信号ＣＯＮ２をイネーブルさせる。表示パネル３００上で配線の間に短絡が発生したので、図１９に示された通り、短絡探知区間Ｔｓｄの間、第２出力端子１２０の電圧ＥＬＶＳＳは正の駆動電圧ＥＬＶＤＤにつれて増加する。短絡探知区間Ｔｓｄの間、第２出力端子１２０の電圧ＥＬＶＳＳが正の駆動電圧ＥＬＶＤＤにつれて増加して基準電圧Ｖｒｅｆの大きさ以上になると、電源変換器１０に含まれる短絡感知部２００はイネーブルされた第３制御信号ＣＯＮ３を電圧変換部１００に提供する。電圧変換部１００はイネーブルされた第３制御信号ＣＯＮ３を受信する場合、正の駆動電圧ＥＬＶＤＤの生成を中断することになる。したがって、図１９に示された通り、第３制御信号ＣＯＮ３がイネーブルされる時点で、正の駆動電圧ＥＬＶＤＤの出力が中断されて正の駆動電圧ＥＬＶＤＤの大きさは次第に減り、接地電圧ＧＮＤレベルになってこれに伴い、第２出力端子１２０の電圧ＥＬＶＳＳの大きさも次第に減り、接地電圧ＧＮＤレベルになり電源変換器１０はシャットダウン（ｓｈｕｔ ｄｏｗｎ）状態となる。
【０１４７】
図２０は負の駆動電圧が先に出力されて正の駆動電圧が短絡探知区間の後で、出力されて表示パネル上で短絡が発生しなかった場合に対する図１３の表示装置の動作を説明するためのタイミング図である。
【０１４８】
図２０は、短絡探知区間Ｔｓｄは１フレーム周期に相応して、駆動部４００は短絡探知区間Ｔｓｄの間及び短絡探知区間Ｔｓｄ以後の１フレーム周期の間、黒色に相応するデータ信号（ＢＬＡＣＫ ＤＡＴＡ）を持続的に表示パネル３００に提供した後、有効なデータ信号（ＶＡＬＩＤ ＤＡＴＡ）を表示パネル３００に提供する場合を示した。
【０１４９】
図２０を参照すると、駆動部４００は黒色に相応するデータ信号ＤＡＴＡを表示パネル３００に提供する状態で垂直動機信号Ｖｓｙｎｃに同期して、第１制御信号ＥＬ＿ＯＮを電源変換器１０に含まれる電圧変換部１００に提供する。電圧変換部１００は駆動部４００から提供される第１制御信号ＥＬ＿ＯＮがイネーブルされる時点に、負の駆動電圧ＥＬＶＳＳを出力し、短絡探知区間Ｔｓｄの間、第２制御信号ＣＯＮ２をイネーブルさせる。表示パネル３００上で配線の間に短絡が発生しなかったので、図２０に示された通り、短絡探知区間Ｔｓｄの間、第２出力端子１２０の電圧ＥＬＶＤＤは負の駆動電圧ＥＬＶＳＳに伴い負の方向に増加せず、接地電圧ＧＮＤレベルを維持する。したがって、電源変換器１０に含まれる短絡感知部２００はディセーブルされる第３制御信号ＣＯＮ３を電圧変換部１００に提供し、電圧変換部１００は短絡探知区間Ｔｓｄ以後に電源電圧ＶＤＤを変換して第２出力端子１２０で正の駆動電圧ＥＬＶＤＤを出力し、第２制御信号ＣＯＮ２をディセーブルさせることによって電源変換器１０は通常動作（ｎｏｒｍａｌ ｏｐｅｒａｔｉｏｎ）を遂行する。
【０１５０】
図２１は負の駆動電圧が先に出力されて正の駆動電圧が短絡探知区間の後で、出力されて表示パネル上で短絡が発生した場合に対する図１２の表示装置の動作を説明するためのタイミング図である。
【０１５１】
図２０は、短絡探知区間Ｔｓｄは１フレーム周期に相応して、駆動部４００は短絡探知区間Ｔｓｄの間及び短絡探知区間Ｔｓｄ以後の１フレーム周期の間、黒色に相応するデータ信号（ＢＬＡＣＫ ＤＡＴＡ）を持続的に表示パネル３００に提供した後、有効なデータ信号（ＶＡＬＩＤ ＤＡＴＡ）を表示パネル３００に提供する場合を示した。
【０１５２】
図２１を参照すると、駆動部４００は黒色に相応するデータ信号ＤＡＴＡを表示パネル３００に提供する状態で垂直動機信号Ｖｓｙｎｃに同期して、第１制御信号ＥＬ＿ＯＮを電源変換器１０に含まれる電圧変換部１００に提供する。電圧変換部１００は駆動部４００から提供される第１制御信号ＥＬ＿ＯＮがイネーブルされる時点に、負の駆動電圧ＥＬＶＳＳを出力して短絡探知区間Ｔｓｄの間、第２制御信号ＣＯＮ２をイネーブルさせる。表示パネル３００上で配線の間に短絡が発生したため、図２１に示された通り、短絡探知区間Ｔｓｄの間、第２出力端子１２０の電圧ＥＬＶＤＤは負の駆動電圧ＥＬＶＳＳに伴い負の方向に増加する。短絡探知区間Ｔｓｄの間第２出力端子１２０の電圧ＥＬＶＤＤが負の駆動電圧ＥＬＶＳＳに伴い負の方向に増加して基準電圧Ｖｒｅｆの大きさ以上になることになれば、電源変換器１０に含まれる短絡感知部２００はイネーブルされた第３制御信号ＣＯＮ３を電圧変換部１００に提供する。電圧変換部１００はイネーブルされた第３制御信号ＣＯＮ３を受信する場合、負の駆動電圧ＥＬＶＳＳの生成を中断することになる。したがって、図２１に示された通り、第３制御信号ＣＯＮ３がイネーブルされる時点で負の駆動電圧ＥＬＶＳＳの出力が中断されて負の駆動電圧ＥＬＶＳＳの大きさは次第に減り、接地電圧ＧＮＤレベルになり、これに伴い、第２出力端子１２０の電圧ＥＬＶＤＤの大きさも次第に減り、接地電圧ＧＮＤレベルになって電源変換器１０はシャットダウン（ｓｈｕｔ ｄｏｗｎ）状態となる。
【０１５３】
上述した通り、本発明の一実施形態に係る表示装置１０００によると、駆動部４００は黒色に相応するデータ信号ＤＡＴＡを表示パネル３００に提供し、電源変換器１０は第１駆動電圧ＤＶ１を出力し、第２駆動電圧ＤＶ２は出力しない状態で第２駆動電圧ＤＶ２が出力される第２出力端子１２０の電圧の大きさが第１駆動電圧ＤＶ１につれて増加するのか否かを判断して、第２出力端子１２０の電圧の大きさが基準電圧Ｖｒｅｆの大きさ以上に増加する場合、表示パネル３００上で配線の間に短絡が発生したと判断して駆動を止める。したがって、本発明の一実施形態に係る表示装置１０００は微細な短絡が発生した場合にもこれを効果的に感知して動作を止めることがあるので、発熱によって引き起こされる問題を予め遮断することができる。
【０１５４】
図２２は本発明の一実施形態に係る表示装置を含むシステムを示したブロック図である。
【０１５５】
図２２を参照すると、システム６０００は表示装置１０００、プロセッサ２０００及び保存装置３０００を含む。
【０１５６】
保存装置３０００は映像データを保存する。保存装置３０００はソリッドステート ドライブ（Ｓｏｌｉｄ Ｓｔａｔｅ Ｄｒｉｖｅ；ＳＳＤ）、ハードディスク ドライブ（Ｈａｒｄ Ｄｉｓｋ Ｄｒｉｖｅ；ＨＤＤ）及びシディロムＣＤ-ＲＯＭ等を含むことができる。
【０１５７】
表示装置１０００は前記映像データをディスプレイする。表示装置１０００は表示パネル３００、電源変換器１０及び駆動部４００を含む。表示パネル３００は第１駆動電圧ＤＶ１、第２駆動電圧ＤＶ２及びデータ信号ＤＡＴＡを受信して動作する複数の画素を含む。電源変換器１０は第１制御信号ＣＯＮ１に応答して、表示パネル３００に第１駆動電圧ＤＶ１及び第２駆動電圧ＤＶ２を短絡探知区間の間隔を置いて順次に提供し、前記短絡探知区間の間、第２駆動電圧ＤＶ２が出力される端子の電圧の大きさが基準電圧の大きさ以上の場合、シャットダウン（ｓｈｕｔ ｄｏｗｎ）されて第１駆動電圧ＤＶ１及び第２駆動電圧ＤＶ２の出力を中断する。駆動部４００は表示パネル３００にデータ信号ＤＡＴＡを提供し、電源変換器１０に第１制御信号ＣＯＮ１を提供して電源変換器１０が動作するようにする。
【０１５８】
表示装置１０００は表示パネル３００が電源変換器１０から受信される複数の駆動電圧を用いて、駆動部４００から受信されるデータ信号ＤＡＴＡに相応するイメージを表示する任意の種類の表示装置であってもよい。例えば、表示装置１０００は有機発光表示装置であってもよく、この場合、表示パネル３００に含まれる複数の画素のそれぞれは有機発光ダイオード（Ｏｒｇａｎｉｃ Ｌｉｇｈｔ Ｅｍｉｔｔｉｎｇ Ｄｉｏｄｅ；ＯＬＥＤ）を含むことができる。
【０１５９】
表示装置１０００は、図１２に示された表示装置１０００で構成されることができる。図１２に示された表示装置１０００の構成及び動作に対しては図１〜２１に関して詳細に説明したので、ここでは詳細な説明は省略する。
【０１６０】
プロセッサ２０００は保存装置３０００及び表示装置１０００の動作を制御する。プロセッサ２０００は特定計算、または、タスク（ｔａｓｋ）を遂行することができる。例示的な実施形態において、プロセッサ２０００はマイクロプロセッサ（ｍｉｃｒｏ ｐｒｏｃｅｓｓｏｒ）、中央処理装置（Ｃｅｎｔｒａｌ Ｐｒｏｃｅｓｓｉｎｇ Ｕｎｉｔ；ＣＰＵ）等であってもよい。プロセッサ２０００はアドレスバス（ａｄｄｒｅｓｓ ｂｕｓ）、制御バス（ｃｏｎｔｒｏｌ ｂｕｓ）及びデータバス（ｄａｔａ ｂｕｓ）等を通して保存装置３０００及び表示装置１０００に接続されて通信を遂行することができる。例示的な実施形態において、プロセッサ２０００は周辺構成要素相互接続（Ｐｅｒｉｐｈｅｒａｌ Ｃｏｍｐｏｎｅｎｔ Ｉｎｔｅｒｃｏｎｎｅｃｔ；ＰＣＩ）バスのような拡張バスにも接続される。
【０１６１】
システム６０００はメモリ装置４０００及び入出力装置５０００をさらに含むことができる。また、図２２には示されなかったが、システム６０００はビデオカード、サウンドカード、メモリカード、ＵＳＢ装置などと通信したり、または、他の電子機器と通信できる色々なポート（ｐｏｒｔ）をさらに含むことができる。
【０１６２】
メモリ装置４０００はシステム６０００の動作に必要なデータを保存することができる。例えば、メモリ装置４０００は動的ランダムアクセスメモリ（Ｄｙｎａｍｉｃ Ｒａｎｄｏｍ Ａｃｃｅｓｓ Ｍｅｍｏｒｙ；ＤＲＡＭ）、静的ランダムアクセスメモリ（Ｓｔａｔｉｃ Ｒａｎｄｏｍ Ａｃｃｅｓｓ Ｍｅｍｏｒｙ；ＳＲＡＭ）等のような揮発性メモリ装置及びイーピーロム（Ｅｒａｓａｂｌｅ Ｐｒｏｇｒａｍｍａｂｌｅ Ｒｅａｄ-Ｏｎｌｙ Ｍｅｍｏｒｙ；ＥＰＲＯＭ）、イーイーピーロム（Ｅｌｅｃｔｒｉｃａｌｌｙ Ｅｒａｓａｂｌｅ Ｐｒｏｇｒａｍｍａｂｌｅ Ｒｅａｄ-Ｏｎｌｙ Ｍｅｍｏｒｙ；ＥＥＰＲＯＭ）及びフラッシュメモリ装置（ｆｌａｓｈ ｍｅｍｏｒｙ ｄｅｖｉｃｅ）等のような不揮発性メモリ装置を含むことができる。
【０１６３】
入出力装置５０００はキーボード、キーパッド、マウスなどのような入力手段及びプリンターなどのような出力手段を含むことができる。
【０１６４】
システム６０００は、使用者が表示装置１０００を通じて画像を見ることができる携帯電話、スマートフォン、ＰＤＡ（ｐｅｒｓｏｎａｌ ｄｉｇｉｔａｌ ａｓｓｉｓｔａｎｔ）、コンピュータ、ノートブック、ＰＭＰ（ｐｅｒｓｏｎａｌ ｍｅｄｉａ ｐｌａｙｅｒ）、テレビ、デジタルカメラ、ＭＰ３プレーヤ、車両用ナビゲーションなどを含む任意の電子装置であってもよい。
【０１６５】
このように本発明の実施形態に係る電源変換器、これを含む表示装置、システム及び表示装置の駆動方法によると、電源変換器が第１駆動電圧を出力し、第２駆動電圧は出力しない状態で第２駆動電圧が出力される第２出力端子の電圧の大きさが第１駆動電圧につれて増加する場合、表示パネル上で配線の間に短絡が発生したと判断して駆動を止めることによって、微細な短絡まで効果的に感知することができ、短絡による発熱問題、または、火災の発生を予め遮断することができる。
【産業上の利用可能性】
【０１６６】
本発明は複数の駆動電圧を出力する電源変換器を用いる表示装置及びこれを含むシステムに適用されることができる。例えば、本発明は有機発光ダイオードを用いる有機発光表示装置に適用され、携帯電話、スマートフォン、ＰＤＡ（ｐｅｒｓｏｎａｌ ｄｉｇｉｔａｌ ａｓｓｉｓｔａｎｔ）、コンピュータ、ノートブック、ＰＭＰ（ｐｅｒｓｏｎａｌ ｍｅｄｉａ ｐｌａｙｅｒ）、テレビ、デジタルカメラ、ＭＰ３プレーヤ、車両用ナビゲーションなどに適用される。
【０１６７】
上述した通り、本発明の望ましい実施例を参照して説明したが、該当技術分野で通常の知識を持った者ならば下記の特許請求範囲に記載された本発明の思想及び領域から離れない範囲内で、本発明を多様に修正及び変更させる可能性があることを理解するはずだ。
【０１６８】
以上、添付図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【符号の説明】
【０１６９】
１０         電源変換器
１００             電圧変換部
２００             短絡感知部
１０００     表示装置
３００             表示パネル
４００             駆動部
４１０             ゲートドライバ
６０００     システム
【図１】
0005557395.tif 000002
【図２】
0005557395.tif 000003
【図３】
0005557395.tif 000004
【図４】
0005557395.tif 000005
【図５】
0005557395.tif 000006
【図６】
0005557395.tif 000007
【図７】
0005557395.tif 000008
【図８】
0005557395.tif 000009
【図９】
0005557395.tif 000010
【図１０】
0005557395.tif 000011
【図１１】
0005557395.tif 000012
【図１２】
0005557395.tif 000013
【図１３】
0005557395.tif 000014
【図１４】
0005557395.tif 000015
【図１５】
0005557395.tif 000016
【図１６】
0005557395.tif 000017
【図１７】
0005557395.tif 000018
【図１８】
0005557395.tif 000019
【図１９】
0005557395.tif 000020
【図２０】
0005557395.tif 000021
【図２１】
0005557395.tif 000022
【図２２】
0005557395.tif 000023